(57)【要約】      （修正有）【課題】安価でしかも予めユニット化された状態のものを現場対応で組み付ける簡素な組み立て式構造体でありながら、見掛け上の高級感を演出することができるトラス式屋根を採用し得て、しかも、建物の水平・垂直基準を容易に確保することができるトラス式構造体を提供する。【解決手段】基台２の上面に垂直状態で固定されて外壁を構成する複数の壁パネルユニット３と、壁パネルユニット３を隣接状態で枠組することで形成された上方開口を閉成した状態で複数の壁パネルユニット３の上縁に固定された一つ以上のトラス屋根ユニット４と、を備えている。【選択図】図１
0003143284.tif 000002
【実用新案登録請求の範囲】
【請求項１】
基台上面に垂直状態で固定されて外壁を構成する複数の壁パネルユニットと、該壁パネルユニットを隣接状態で枠組することで形成された上方開口を閉成した状態で前記複数の壁パネルユニットの上縁に固定された一つ以上のトラス屋根ユニットと、を備えたトラス式構造体において、
前記壁パネルユニットには、その底面から突出・伸張する高さ調節部材と、該高さ調節部材によって隣接する前記壁パネルユニット同士の高さを一致させた状態で前記壁パネルユニット間を前記基台上面に固定する固定部材と、を備えていることを特徴とするトラス式構造体。
【請求項２】
前記壁パネルユニット部材の内壁面又は外壁面には、前記固定部材との相対位置を調節する調節部が設けられていることを特徴とする請求項１に記載のトラス式構造体。
【請求項３】
前記高さ調節部材は、前記壁パネルユニットの底面と係合し且つその係合位置を可変とする調節部と、該調節部に固定されて前記基台上面と突き当たる支持部と、を備えていることを特徴とする請求項１又は請求項２に記載のトラス式構造体。
【考案の詳細な説明】
【技術分野】
【０００１】
本考案は、河川等の水上や水際等の水平面で無い土地に土台を作成し、その土台上に組み立て式構造体を構築するトラス式構造体及びその構築方法に関するものである。
【背景技術】
【０００２】
【特許文献１】特開平０７−２３８６２５号公報
【０００３】
従来から、ユニット式住宅等の建物において、所謂、妻面と平行な山形の屋根トラスを桁行方向に並べて複数設け、これら屋根トラスの上に屋根パネルを載せ、屋根葺材等の仕上げ材を施すトラス式構造体が知られている（例えば、特許文献１参照）。
【０００４】
この際、ユニット式住宅の構築時には、柱や梁に外壁等を予め固定し、現場での組み立ての容易化を図っている。
【０００５】
また、この他に、屋根をいくつかの三角形の箱体に分割して工場生産し、これを現場に運搬して接合するユニット屋根形式が採られる場合もある。
【考案の開示】
【考案が解決しようとする課題】
【０００６】
ところで、このようなユニット式住宅の場合、基本的には宅地での構築であるため、建物の土台（基礎）は厳密な水平基準とされると共に、その土台も略水平な土地に整備された状態で構築される。
【０００７】
したがって、土台上に建物を構築する際には、壁の高さは一定であり、床面の水平度も容易に出すことができる。
【０００８】
しかしながら、河川等の水上や水際等の水平面で無い土地に土台を作成した場合、土地が不安定であるために、作成した土台の水平度を出すことは非常に困難であり、このような土台上に、例えば、休憩所・観測所・温泉の脱衣所等の比較的簡素な建物を組み立て式で構築するには、上述したユニット式住宅の技術をそのまま採用したのでは非常に高価な建物となってしまい、機能的に雨や風を凌げれば良い等の観点から厳密な水平度が要求されないことと相俟って、実質的には、ないがしろにされてきたのが実情である。
【０００９】
尚、これら休憩所等に適用可能な簡素な構造体としては、所謂、プレハブ式或いは物置式等が周知であるが、機能的には優れているものの、安価を維持しつつ概観上の見栄えを確保することは困難であった。
【００１０】
一方、近年の建物に対する安全基準の高基準化、周囲環境との調和性や高級感志向等の関係から、上述した比較的簡素な建物にあっても、家屋よりも安価でありながら、家屋並みの建物の構築化が要望されつつある。
【００１１】
本考案は、上記問題を解決するため、安価でしかも予めユニット化された状態のものを現場対応で組み付ける簡素な組み立て式構造体でありながら、見掛け上の高級感を演出することができるトラス式屋根を採用し得て、しかも、建物の水平・垂直基準を容易に確保することができるトラス式構造体を提供することを目的とする。
【課題を解決するための手段】
【００１２】
その目的を達成するため、請求項１に記載のトラス式構造体は、基台上面に垂直状態で固定されて外壁を構成する複数の壁パネルユニットと、該壁パネルユニットを隣接状態で枠組することで形成された上方開口を閉成した状態で前記複数の壁パネルユニットの上縁に固定された一つ以上のトラス屋根ユニットと、を備えたトラス式構造体において、前記壁パネルユニットには、その底面から突出・伸張する高さ調節部材と、該高さ調節部材によって隣接する前記壁パネルユニット同士の高さを一致させた状態で前記壁パネルユニット間を前記基台上面に固定する固定部材と、を備えていることを特徴とする。
【００１３】
請求項１に記載のトラス式構造体によれば、現場対応にて基台上面と複数の壁パネルユニット全体との相対位置を調整することができ、建物の水平・垂直基準を容易に確保することができる。
【００１４】
また、請求項２に記載のトラス式構造体は、前記壁パネルユニット部材の内壁面又は外壁面には、前記固定部材との相対位置を調節する調節部が設けられていることを特徴とする。
【００１５】
請求項２に記載のトラス式構造体によれば、予め設けられた調節部を利用して固定部材と壁パネルユニットとを連結することができ、１種類の固定部材で基台上面との高さの異なる壁パネルユニットの固定を実現することができる。
【００１６】
請求項３に記載のトラス式構造体は、前記高さ調節部材は、前記壁パネルユニットの底面と係合し且つその係合位置を可変とする調節部と、該調節部に固定されて前記基台上面と突き当たる支持部と、を備えていることを特徴とする。
【００１７】
請求項３に記載のトラス式構造体によれば、複数の壁パネルユニットを枠組みした際の大きさ（建物総重量）に対して支持部の大きさを異ならせるだけで安定性を確保すいることができる。
【考案の効果】
【００１８】
本考案のトラス式構造体によれば、安価でしかも予めユニット化された状態のものを現場対応で組み付ける簡素な組み立て式構造体でありながら、見掛け上の高級感を演出することができるトラス式屋根を採用し得て、しかも、建物の水平・垂直基準を容易に確保することができる。
【考案を実施するための最良の形態】
【００１９】
次に、本考案のトラス式構造体に係る実施の形態を図面に基づいて説明する。
【００２０】
図１は本考案のトラス式構造体を示すトラス屋根の一部を取り除いた状態のトラス式構造体の斜視図、図２は本考案のトラス式構造体を示すトラス構造体の断面図、図３は本考案のトラス式構造体を示す一部を取り除いた状態のトラス式構造体の側面図、図４は本考案のトラス式構造体を示す一部を取り除いた状態のトラス式構造体の正面図である。
【００２１】
図１乃至図４において、トラス式構造体１は、基台２の上面２ａに垂直状態で固定されて外壁を構成する複数の壁パネルユニット３と、壁パネルユニット３を隣接状態で枠組することで形成された上方開口を閉成した状態で複数の壁パネルユニット３の上縁に固定された一つ以上のトラス屋根ユニット４と、を備えている。
【００２２】
また、壁パネルユニット３には、その底面から突出・伸張する高さ調節部材５と、高さ調節部材５によって隣接する壁パネルユニット３同士の高さを一致させた状態で壁パネルユニット３間を基台２の上面２ａに固定する固定部材６と、を備えている。
【００２３】
尚、複数の壁パネルユニット３には、必要に応じて、出入口用のドアや窓等を設けても良く、その大きさ（幅）も同一である必要は無い。
【００２４】
これにより、現場対応にて基台２の上面２ａと複数の壁パネルユニット３の全体との相対位置を調整することができ、建物（トラス式構造体１）の水平・垂直基準を容易に確保することができる。
【００２５】
具体的には、図５乃至図８に示すように、壁パネルユニット３の下枠３ａには、その底面と係合し且つその係合位置を可変とするネジ状の調節部５ａと、調節部５ａに固定されて基台２の上面２ａと突き当たる支持部５ｂと、を備えた調節部材５が底面から突出・伸張可能に設けられている。尚、この調節部材５は、一つの壁パネルユニット３の下枠３ａに一つ以上設けられており、好ましくは、幅方向両端２箇所（３箇所以上でも良い）に設けられている。
【００２６】
これにより、隣接状態の複数の壁パネルユニット３の枠組み状態での全体の高さを、例えば、基台２の上面２ａの形状に凹凸や傾斜等が存在していても、調節部５ａを伸縮させて支持部５ｂを基台２に突き当てることにより、壁パネルユニット３の上面が水平となるように高さ調節を個別対応で行うことができる。尚、下枠３ａは、例えば、アルミ等の金属の押し出し成形によるサッシュ構造が採用されている、
固定部材６は、例えば、下枠３ａの一面（例えば、室内側）に設けられており、略Ｌ字形状の固定部材本体７と、固定部材本体７の一端（上端）を壁パネルユニット３の下枠３ａに結合する結合ボルト８と、固定部材本体７の他端（下端）を基台２に固定する固定アンカー９と、下枠３ａの裏面にネジ固定されて結合ボルト８と係合するナット１０を溶接固定した補強板１１と、を備えている。
【００２７】
尚、固定部材本体７と下枠３ａとの間に、断面Ｌ字形状の補助パネル１２を設けてもよい。
【００２８】
また、固定部材本体７には、上下方向に延びる長孔７ａが形成されており、基台２と下枠３ａ（壁パネルユニット３）との高さに応じた位置で結合ボルト８とナット１０との螺合が可能となっている。
【００２９】
一方、下枠３ａには、固定部材６とは反対側（例えば、室外側）の面に、固定部材１３と、固定部材１３を覆うカバー１４とが設けられている。
【００３０】
固定部材１３は、下枠３ａを底面から支持する支持部１３ａが一体に形成されていると共に、一端（上端）は壁パネルユニット３の下枠３ａに結合ネジ１５で固定され、固定部材本体１２の他端（下端）は固定アンカー１６で固定されている。
【００３１】
カバー１４は、ネジ１７を介して下枠３ａの全幅に跨って下枠３ａに固定されており、固定部材１３を覆うことにより、水雨等から固定部材１３を保護している。
【００３２】
トラス屋根ユニット４は、図９に示すように、固定部材１８を介して梁１９が壁パネルユニット３に連結・固定されている。また、トラス屋根ユニット４の梁１９には、樋受け金具２０が設けられている。
【００３３】
尚、トラス屋根ユニット４には、水門ラック用の煙突２１やソーラパネル２２等を設けることも可能である。
【００３４】
上記の構成において、トラス式構造体１は、図１０乃至図１３に示すように、水平面上にて予め所定の大きさに複数の壁パネルユニット３を隣接状態で枠組みした後（枠組みステップ）、その枠組みされた複数の壁パネルユニット３の隣接縁部同士が密着するようにレベル調整を行い（レベル調整ステップ）、そのレベル調整後の複数の壁パネルユニット３をそのまま施工現場へと搬送して予めその施工現場に形成された基台２の上面２ａに接地させ（接地ステップ）、図１４及び図１５に示すように、調節部材５の突出量を調整することで基台２の上面２ａ形状を考慮して隣接する壁パネルユニット３の同士の高さを一致させ（調節ステップ）、調節後の複数の壁パネルユニット３を固定部材６，１３を介して基台２の上面２ａに固定し（固定ステップ）、図１６乃至図２３に示すように、予め所定の大きさに分割構成された複数のトラス屋根ユニット４を組み付けた状態で複数の壁パネルユニット３の上縁に乗せて梁１９と壁パネルユニット３とを固定部材１８を介して連結・固定する（トラス屋根固定ステップ）。
【００３５】
尚、分割された複数のトラス屋根ユニット４は、工場等で分割された状態で施工現場へと搬送し、図２４に示すように、分割された複数のトラス屋根ユニット４を、別々に施工現場で壁パネルユニット３の上縁に乗せて組み付けても良いし、その施工現場で壁パネルユニット３の上縁に乗せても良い。
【００３６】
このように、本考案のトラス式構造体にあっては、下枠３ａの底面から突出・伸張可能に設けられた調節部材５によって高さ調節を可能としていることにより、安価でしかも予めユニット化された状態のものを現場対応で組み付ける簡素な組み立て式構造体でありながら、見掛け上の高級感を演出することができるトラス式屋根を採用し得て、しかも、建物の水平・垂直基準を容易に確保することができる。
【図面の簡単な説明】
【００３７】
【図１】本考案のトラス式構造体を示すトラス屋根の一部を取り除いた状態のトラス式構造体の斜視図である。
【図２】本考案のトラス式構造体を示すトラス構造体の断面図である。
【図３】本考案のトラス式構造体を示す一部を取り除いた状態のトラス式構造体の側面図である。
【図４】本考案のトラス式構造体を示す一部を取り除いた状態のトラス式構造体の正面図である。
【図５】本考案のトラス式構造体を示す要部の断面図である。
【図６】本考案のトラス式構造体を示す要部の拡大断面図である。
【図７】本考案のトラス式構造体を示す他の要部の断面図である。
【図８】本考案のトラス式構造体を示す要部の斜視図である。
【図９】本考案のトラス式構造体を示す要部の断面図である。
【図１０】本考案のトラス式構造体を示す壁パネルユニットの１面組み付け状態の斜視図である。
【図１１】本考案のトラス式構造体を示す壁パネルユニットの２面組み付け状態の斜視図である。
【図１２】本考案のトラス式構造体を示す壁パネルユニットの３面組み付け状態の斜視図である。
【図１３】本考案のトラス式構造体を示す壁パネルユニットの４面組み付け状態の斜視図である。
【図１４】本考案のトラス式構造体を示す壁パネルユニットの要部の斜視図である。
【図１５】本考案のトラス式構造体を示す壁パネルユニットの表面側から見た要部の斜視図である。
【図１６】本考案のトラス式構造体を示すトラス屋根ユニットの組み付け初期の斜視図である。
【図１７】本考案のトラス式構造体を示すトラス屋根ユニットの組み付け中期の斜視図である。
【図１８】本考案のトラス式構造体を示すトラス屋根ユニットの組み付け中期の斜視図である。
【図１９】本考案のトラス式構造体を示すトラス屋根ユニットの組み付け終期の斜視図である。
【図２０】本考案のトラス式構造体を示すトラス屋根ユニットの組み付け初期の底面側の斜視図である。
【図２１】本考案のトラス式構造体を示すトラス屋根ユニットの組み付け中期の底面側の斜視図である。
【図２２】本考案のトラス式構造体を示すトラス屋根ユニットの組み付け終期の底面側の斜視図である。
【図２３】本考案のトラス式構造体を示すトラス屋根ユニットの壁パネルユニットへの組み付け状態を示す斜視図である。
【図２４】本考案のトラス式構造体を示すトラス屋根ユニットの壁パネルユニットへの他の組み付け状態を示す斜視図である。
【符号の説明】
【００３８】
１…トラス式構造体
２…基台
２ａ…上面
３…壁パネルユニット
３ａ…下枠
４…トラス屋根ユニット
５…調節部材
５ａ…調節部
５ｂ…支持部
６…固定部材
７…固定部材本体
７ａ…長孔
８…結合ボルト
９…固定アンカー
１０…ナット
１１…補強板
１２…補助パネル
１３…固定部材
１４…カバー
１５…結合ネジ
１６…固定アンカー
１７…ネジ
１８…固定部材
１９…梁
２０…樋受け金具
２１…煙突
２２…ソーラパネル
【図１】
0003143284.tif 000003
【図２】
0003143284.tif 000004
【図３】
0003143284.tif 000005
【図４】
0003143284.tif 000006
【図５】
0003143284.tif 000007
【図６】
0003143284.tif 000008
【図７】
0003143284.tif 000009
【図８】
0003143284.tif 000010
【図９】
0003143284.tif 000011
【図１０】
0003143284.tif 000012
【図１１】
0003143284.tif 000013
【図１２】
0003143284.tif 000014
【図１３】
0003143284.tif 000015
【図１４】
0003143284.tif 000016
【図１５】
0003143284.tif 000017
【図１６】
0003143284.tif 000018
【図１７】
0003143284.tif 000019
【図１８】
0003143284.tif 000020
【図１９】
0003143284.tif 000021
【図２０】
0003143284.tif 000022
【図２１】
0003143284.tif 000023
【図２２】
0003143284.tif 000024
【図２３】
0003143284.tif 000025
【図２４】
0003143284.tif 000026